(57)【要約】      （修正有）【課題】機械室近傍の階段や段差の形状によらず、重量物を下段側から上段側に揚重・運搬できる揚重雇、および、その揚重雇を用いた揚重運搬方法を提供する。【解決手段】揚重雇１は、重量物３０を下段側から上段側へ運搬するものであって、下段側に設置される略水平な第一レールと、第一レールの一端を支持する第一支持具と、上段側に設置される略水平な第二レールと、第二レールの一端を支持する第二支持具と、第一レールの他端と第二レールの他端を支持する、門型の第三支持具と、第一レール上を移動可能に設置される第一トロリと、第二レール上を移動可能に設置される第二トロリと、具備し、第一支持具の下端と第二支持具の下端の高さが異なるものとした。【選択図】図１
2019206423.tif 000002
【特許請求の範囲】
【請求項１】
重量物を下段側から上段側へ運搬する揚重雇であって、
前記下段側に設置される略水平な第一レールと、
該第一レールの一端を支持する第一支持具と、
前記上段側に設置される略水平な第二レールと、
該第二レールの一端を支持する第二支持具と、
前記第一レールの他端と前記第二レールの他端を支持する、門型の第三支持具と、
前記第一レール上を移動可能に設置される第一トロリと、
前記第二レール上を移動可能に設置される第二トロリと、
を具備し、
前記第一支持具の下端と前記第二支持具の下端の高さが異なることを特徴とする揚重雇。
【請求項２】
請求項１に記載の揚重雇であって、
前記第三支持具の下端は、前記第一支持具の下端または前記第二支持具の下端と高さが等しいことを特徴とする揚重雇。
【請求項３】
請求項１または請求項２に記載の揚重雇であって、
前記第一支持具、前記第二支持具、前記第三支持具の夫々の下端にはローラが設けられていることを特徴とする揚重雇。
【請求項４】
重量物を下段から上段へ、または、上段から下段へ運搬する揚重雇であって、
下部にローラを備えた２つの門型構造体と、該２つの門型構造体によって両端を支持されるレールと、該レール上を移動するトロリと、該トロリに設けられた揚重手段を有する主揚重雇と、
下部に追加ローラを備えた追加門型構造体と、該追加門型構造体と前記門型構造体によって両端を支持される追加レールと、該追加レール上を移動する追加トロリと、前記追加トロリに設けられた追加揚重手段を有する追加揚重雇と、を備え、
前記重量物は、前記揚重手段と前記追加揚重手段により吊り上げられて水平方向に移動することを特徴とする揚重雇。
【請求項５】
請求項４に記載の揚重雇であって、
前記門型構造体は、伸縮可能な一対の支柱と、両支柱の上部を連結する梁と、を有することを特徴とする揚重雇。
【請求項６】
請求項４に記載の揚重雇であって、
前記追加門型構造体は、伸縮可能な一対の追加支柱と、両追加支柱の上部を連結する追加梁と、を有することを特徴とする重量物の揚重雇。
【請求項７】
請求項４から請求項６の何れか一項に記載の揚重雇を用いて、前記重量物を吊り上げて運搬する重量物の揚重運搬方法であって、
下段に前記主揚重雇を設置する第１ステップと、
前記主揚重雇の前記揚重手段により前記重量物を揚重する第２ステップと、
前記ローラにより前記主揚重雇を階段近傍まで運搬する第３ステップと、
上段に前記追加揚重雇を設置する第４ステップと、
前記揚重手段から前記追加揚重手段に前記重量物を吊り変える第５ステップと、
前記追加揚重手段が揚重した前記重量物を水平方向に移動させる第６ステップと、
前記重量物を上段に載置する第７ステップと、
を含むことを特徴とする重量物の揚重運搬方法。
【発明の詳細な説明】
【技術分野】
【０００１】
本発明は、重量物を下段から上段へ揚重する揚重雇、及び、その揚重雇を用いた重量物の揚重運搬方法に関する。
【背景技術】
【０００２】
エレベーターのリニューアル工事時には、新しい巻上機や動力源等の重量物を機械室まで運搬・搬入し、古い巻上機や動力源等と交換する必要がある。この際、機械室までの通路に階段や段差がある場合は、重量物を持ち上げ階段や段差を乗り越えてから、機械室まで揚重・運搬する必要がある。
【０００３】
段差を超えて搬送物を搬送する搬送装置として、特許文献１に記載のものが知られている。この文献の要約書には、「搬送経路に段差がある場合でも、被搬送物を搬送できるようにする」ための搬送装置に関連して、「被搬送物を支持する複数の搬送物支持部と、搬送物支持部の夫々に、搬送物支持部を間に挟んで両側に配置され、搬送物支持部を支持して走行可能な一対の台車ユニットとを備える。各台車ユニットは、車輪部と伸縮可能な支柱部とを有する。一対の台車ユニットにおける一対の支柱部の上端を結ぶ直線は、鉛直方向から見て互いに交差するように配置されている。」との記載がある。
【０００４】
すなわち、特許文献１の搬送装置を用いることで、同文献の図４等に示されるように、揚重雇の形状に合致した張り出しがある場合には、重量物を張り出し部近傍に仮置きした上で、重量物を揚重している揚重雇を人力で移設しながら徐々に段差を乗り越えることができた。
【先行技術文献】
【特許文献】
【０００５】
【特許文献１】特開２０１５−１０１４１７号公報
【発明の概要】
【発明が解決しようとする課題】
【０００６】
しかしながら、エレベーターの機械室近傍に設置された階段や段差の形状が、特許文献１の搬送装置に適した張り出し部状であるとは限らず、また、リニューアル工事時には機械室周辺の第三者の往来も多いため、重量物の搬送のためだけに、特許文献１の搬送装置に適した仮設の張り出し部を形成できるとも限らないため、特許文献１の搬送装置を、エレベーターのリニューアル工事時の重量物の揚重に採用するのは困難だった。
【０００７】
そこで、本発明は、機械室近傍の階段や段差の形状によらず、重量物を下段側から上段側に揚重・運搬できる揚重雇、および、その揚重雇を用いた揚重運搬方法を提供することを目的とする。
【課題を解決するための手段】
【０００８】
上記課題を解決するために、本発明に係る揚重雇は、重量物を下段側から上段側へ運搬するものであって、前記下段側に設置される略水平な第一レールと、該第一レールの一端を支持する第一支持具と、前記上段側に設置される略水平な第二レールと、該第二レールの一端を支持する第二支持具と、前記第一レールの他端と前記第二レールの他端を支持する、門型の第三支持具と、前記第一レール上を移動可能に設置される第一トロリと、前記第二レール上を移動可能に設置される第二トロリと、具備し、前記第一支持具の下端と前記第二支持具の下端の高さが異なるものとした。
【発明の効果】
【０００９】
本発明の揚重雇、または、揚重方法によれば、階段や段差の形状によらず、重量物を下段側から上段側に揚重することができるため、例えば、これをエレベーターのリニューアル工事に用いれば、従来より能率良くリニューアル作業を行うことができる。
【図面の簡単な説明】
【００１０】
【図１】一実施例に係る重量物の揚重装置の斜視図である。
【図２】一実施例に係る重量物の揚重方法の第１ステップを示す側面図である。
【図３】一実施例に係る重量物の揚重方法の第２ステップを示す側面図である。
【図４】一実施例に係る重量物の揚重方法の第３ステップを示す側面図である。
【図５】一実施例に係る重量物の揚重方法の第４ステップを示す側面図である。
【図６】一実施例に係る重量物の揚重方法の第５ステップを示す側面図である。
【図７】一実施例に係る重量物の揚重方法の第６ステップを示す側面図である。
【図８】一実施例に係る重量物の揚重方法の第７ステップを示す側面図である。
【発明を実施するための形態】
【００１１】
以下、本発明の一実施例に係る揚重雇、及び、その揚重雇を用いた重量物の揚重方法を図面に基づいて説明する。
【００１２】
図１は、重量物３０を階段の下段４０側から上段４１側へ移動させる際に用いられる、本発明の揚重雇１の一実施例を示す斜視図である。ここに示すように、揚重雇１は、階段の下段４０側に設置される主揚重雇１０と、階段の上段４１側に設置される追加揚重雇２０からなる。なお、重量物３０は、例えば、エレベーターのリニューアル工事時に更新される、巻上機、制御盤、油圧式パワーユニット等の機器であるが、以下では、重量物３０が箱状の新製油圧式パワーユニットである例を説明する。
【００１３】
図１に示すように、主揚重雇１０は、Ｈ型鋼材もしくはＩ型鋼材で構成された略水平なレール１１と、このレール１１の一端の支持具である門型構造体１２と、他端の支持具である門型構造体１３と、レール１１に設けられるトロリ１４と、このトロリ１４に連結され、重量物３０を揚重するチェーンブロック１５を有する。
【００１４】
ここで、門型構造体１２は、略垂直な一対の支柱１２ａと、これらの頂部にボルト等で固定された略水平な梁１２ｂと、各支柱の下部に設置されるローラ１２ｃから構成されている。同様に、門型構造体１３も、略垂直な一対の支柱１３ａと、これらの頂部にボルト等で固定された略水平な梁１３ｂと、各支柱の下部に設置されるローラ１３ｃから構成されている。このような門型構造体１２、１３を梁同士が略平行となるように配置した後、レール１１の両端を梁１２ｂと梁１３ｂの夫々の中点にボルトまたはクリップで固定することで、レール１１、門型構造体１２、１３を一体化した、主揚重雇１０を構成する。
【００１５】
一方、追加揚重雇２０は、Ｈ型鋼材もしくはＩ型鋼材で構成された略水平な追加レール２１と、この追加レール２１の一端の支持具である追加門型構造体２２と、レール１１上に設けられた、追加レール２１の他端の支持具であるつなぎプレート２３と、追加レール２１に設けられる追加トロリ２４と、この追加トロリ２４に連結され、重量物３０を揚重する追加チェーンブロック２５を有する。
【００１６】
ここで、追加門型構造体２２は、略垂直な一対の追加支柱２２ａと、これらの頂部にボルト等で固定された略水平な追加梁２２ｂと、各支柱の下部に設置される追加ローラ２２ｃから構成されている。そして、このような追加門型構造体２２を、追加梁２２ｂと梁１３ｂが略平行となるように配置した後、追加レール２１の両端を追加梁２２ｂの中点とつなぎプレート２３にボルトまたはクリップで固定することで、追加レール２１、追加門型構造体２２、つなぎプレート２３を一体化した、追加揚重雇２０を構成する。
【００１７】
なお、図１に例示した、各門型構造物の支柱１２ａ、１３ａ、追加支柱２２ａは、パイプサポート等を利用した伸縮可能なものである。また、梁１２ｂ、１３ｂ、追加梁２２ｂには角型鋼材を使用しているが、所望の強度を確保できれば、Ｈ型鋼材やＩ型鋼材のような他の形状のものを用いても良いし、アルミのような素材のものを用いても良い。
【００１８】
なお、本実施例の揚重雇１が備える六本の支柱の間隔や配置、各レールの長さ、つなぎプレート２３の取付位置等、揚重雇１の形状を規定するパラメータは、重量物３０の寸法や、通路の形状、階段の形状などを考慮して設定される。例えば、図１のように、階段の下段４０側と上段４１側が直線状に配置されている場合は、レール１１と追加レール２１を直線状に配置し易いように、各門型構造物を略平行に配置すれば良いし、階段を挟んで下段４０側と上段４１側が屈曲する配置となる場合は、レール１１となす角度を適切に調整してから追加レール２１をつなぎプレート２３上に固定すれば良い。
【００１９】
次に、図２から図８を用いて、本実施例の揚重雇１を用いた重量物３０の揚重・運搬方法を説明する。この揚重・運搬方法は、主揚重雇１０を設置する第１ステップと、重量物３０を吊り上げる第２ステップと、主揚重雇１０を階段側に移動する第３ステップと、追加揚重雇２０を設置する第４ステップと、重量物３０を主揚重雇１０から追加揚重雇２０に移す第５ステップと、重量物３０を水平方向に移動させる第６ステップと、重量物３０を下ろす第７ステップを含んでいる。以下、各ステップを、図面を参照しながら詳細に説明する。
＜第１ステップ＞
図２は、本実施例の揚重・運搬方法の第１ステップを示す側面図であり、下段４０に置かれた重量物３０を覆うように主揚重雇１０を組み立てた状態を示すものである。
【００２０】
すなわち、先ず、下段４０側で、門型構造体１２と門型構造体１３を組み立て、重量物３０を挟む位置で夫々を立設する。そして、レール１１の両端を梁１２ｂと梁１３ｂの中点に固定してから、レール１１が略水平となるように各支柱の長さを調整する。最後に、レール１１にトロリ１４とチェーンブロック１５を取り付ける。
【００２１】
なお、図２では、階段から離れた位置に重量物３０が置かれていたため、ローラ１２ｃ、１３ｃを有する主揚重雇１０を用いているが、図示しない台車等で重量物３０を階段近傍まで運搬できる場合は、ローラ１２ｃ、１３ｃを有さない主揚重雇１０を用いても良い。
＜第２ステップ＞
図３は、本実施例の揚重・運搬方法の第２ステップを示す側面図であり、主揚重雇１０のチェーンブロック１５により重量物３０を吊り上げた状態を示すものである。
【００２２】
すなわち、重量物３０の頂部にチェーン１６を接続した後、チェーンブロック１５によりチェーン１６を巻き上げることで、重量物３０を所望の高さに吊り上げる。ここで、所望の高さとは、例えば、重量物３０の下端が、上段４１よりも高くなる高さである。
＜第３ステップ＞
図４は、本実施例の揚重・運搬方法の第３ステップを示す側面図であり、主揚重雇１０のローラ１２ｃ、１３ｃを利用して、主揚重雇１０を階段近傍まで運搬した状態を示すものである。
【００２３】
すなわち、重量物３０を吊り上げた状態で、階段方向に向けて、主揚重雇１０を移動させる。なお、主揚重雇１０を移動させる際には、作業員が門型構造体１２を把持して押してもよく、また、門型構造体１３を把持して引いてもよい。
＜第４ステップ＞
図５は、本実施例の揚重・運搬方法の第４ステップを示す側面図であり、階段の近傍まで移動した主揚重雇１０に追加揚重雇２０を追加した状態を示すものである。
【００２４】
すなわち、まず、主揚重雇１０の梁１３ｂの中点につなぎプレート２３を載置し、これをボルトで固定する。次に、上段４１側で、追加門型構造体２２を組み立て立設する。そして、追加レール２１の両端を追加梁２２ｂの中点とつなぎプレート２３に固定してから、追加レール２１が水平になるように追加支柱２２ａの長さを調整する。最後に、追加レール２１に追加トロリ２４と追加チェーンブロック２５を取り付ける。
＜第５ステップ＞
図６は、本実施例の揚重・運搬方法の第５ステップを示す側面図であり、重量物３０を主揚重雇１０から追加揚重雇２０に移動させている状態を示すものである。
【００２５】
すなわち、主揚重雇１０のチェーンブロック１５が吊り上げた重量物３０を、トロリ１４を使用して階段側に移動させ、重量物３０の頂部に追加チェーン２６を接続した後、追加チェーンブロック２５により追加チェーン２６を巻き上げると同時に、チェーンブロック１５によりチェーン１６を巻き戻すことで、重量物３０を主揚重雇１０側から追加揚重雇２０側に移動させる。
＜第６ステップ＞
図７は、本実施例の揚重・運搬方法の第６ステップを示す側面図であり、重量物３０を上段４１の上方へ移動させた状態を示すものである。
【００２６】
すなわち、重量物３０の頂部からチェーン１６を取り外した後、追加トロリ２４を使用して、重量物３０を上段４１の上方へと水平方向に移動させる。
＜第７ステップ＞
図８は、本実施例の揚重・運搬方法の第７ステップを示す側面図であり、重量物３０を上段４１に下した状態を示すものである。
【００２７】
すなわち、追加チェーンブロック２５を巻き戻すことで、追加チェーン２６に吊られた重量物３０を上段４１へ下す。なお、この際、図示しない台車上に重量物３０を下せば、重量物３０を機械室近傍まで効率よく運搬することができる。
【００２８】
以上の第１ステップ〜第７ステップを順次実行することにより、段差の形状に拘わらず、重量物３０を下段４０から上段４１に効率よく揚重・運搬することができる。
【００２９】
なお、以上では、重量物３０を下段４０から上段４１に運搬する方法を説明したが、重量物３０を上段４１から下段４０に運搬する際にも、本実施例の揚重雇１を利用することができる。この場合には、前述の第１ステップ〜第７ステップを逆の順序で実行すればよい。また、この場合には、主揚重雇１０を上段４１側に配置し、追加揚重雇２０を下段４０側に配置しても良い。
【００３０】
以上説明したように、本実施例に係る重量物の運搬及び揚重雇及び方法によれば、張り出しの有無によらず階段を経由して重量物３０の運搬を円滑に行うことができる。したがって、従来技術では困難であったエレベーターのリニューアル工事等にも適用でき、本実施例は従来技術に比べて優れた汎用性を確保することができる。また本実施例は、小型で比較的単純な構造の揚重雇１のみの構成で済むので、従来技術よりも簡単構成とすることができる。これにより本実施例は、従来技術に比べて施工工数及び施工費用を低減させることができる。
【符号の説明】
【００３１】
１  揚重雇、
１０  主揚重雇、
１１  レール、
１２、１３  門型構造体、
１２ａ、１３ａ  支柱、
１２ｂ、１３ｂ  梁、
１２ｃ、１３ｃ  ローラ、
１４  トロリ、
１５  チェーンブロック、
１６  チェーン、
２０  追加揚重雇、
２１  追加レール、
２２  追加門型構造体、
２２ａ  追加支柱、
２２ｂ  追加梁、
２２ｃ  追加ローラ、
２３  つなぎプレート、
２４  追加トロリ、
２５  追加チェーンブロック、
２６  追加チェーン、
３０  重量物、
４０  下段、
４１  上段
【図１】
2019206423.tif 000003
【図２】
2019206423.tif 000004
【図３】
2019206423.tif 000005
【図４】
2019206423.tif 000006
【図５】
2019206423.tif 000007
【図６】
2019206423.tif 000008
【図７】
2019206423.tif 000009
【図８】
2019206423.tif 000010